(57)【特許請求の範囲】
【請求項１】
入力回路と、ＤＣ／ＤＣコンバータと、蓄電素子と、スイッチと、切替回路と、コンデンサ充電回路とを含むスイッチング電源であって、
前記入力回路は、整流回路と、平滑コンデンサとを含んでおり、交流電源から供給される交流電圧を前記整流回路により整流し、整流出力を前記平滑コンデンサにより平滑して、直流電圧に変換し、
前記ＤＣ／ＤＣコンバータは、スイッチ素子と、変換トランスと、出力回路とを含み、
前記スイッチ素子は、前記入力回路から前記変換トランスの第１の巻線を通して供給される直流電圧をスイッチングし、
前記出力回路は、前記変換トランスの第２の巻線から供給されるスイッチング出力を直流電圧に変換して出力し、
前記蓄電素子は、前記交流電源が停電したとき、前記ＤＣ／ＤＣコンバータにエネルギーを供給し、
前記スイッチは、前記平滑コンデンサから、前記第１の巻線に至る回路に挿入され、前記交流電源が通電している定常動作においてオンとなり、前記交流電源の停電時はオフとなる動作をし、
前記切替回路は、前記交流電源の通電時に前記蓄積素子を充電し、前記交流電源の停電時に前記蓄電素子のエネルギーを前記ＤＣ／ＤＣコンバータに供給する放電回路を構成し、
前記コンデンサ充電回路は、前記交流電源が停電したとき、前記スイッチがオフとなることにより形成され、前記蓄電素子からエネルギーの供給を受けた前記ＤＣ／ＤＣコンバータの動作により、前記変換トランスの第３の巻線を介して供給される電力によって前記平滑コンデンサを充電する、
スイッチング電源。
【請求項２】
請求項１に記載されたスイッチング電源であって、前記コンデンサ充電回路は、前記平滑コンデンサを、前記交流電圧の尖頭値以上の電圧値まで充電するスイッチング電源。
【請求項３】
請求項１又は２に記載されたスイッチング電源であって、前記コンデンサ充電回路は、制限抵抗を含み、前記制限抵抗は前記平滑コンデンサに流れ込む充電電流を制限するスイッチング電源。
【発明の詳細な説明】
【０００１】
【発明の属する技術分野】
本発明は、スイッチング電源に関し、さらに詳しくは、バッテリー等の蓄電素子によってバックアップする機能を有するスイッチング電源に関する。
【０００２】
【従来の技術】
この種のスイッチング電源は、商用電源が停電した時でも、バッテリーバックアップにより、動作を維持する必要のある用途、例えばＰＨＳ基地局用電源等に用いられるもので、従来より種々のタイプのものが提案されている。例えば、特開平９ー５６０８５号公報は、メインのコンバータ回路を構成する電力変換回路に備えられた変換トランスの二次側に、バッテリーでなる蓄電素子を有する充放電回路を接続しておき、変換トランスの二次巻線に生じる誘起電圧を利用して蓄電素子を充電し、商用交流電源の供給が停止したときは、蓄電素子に蓄積されたエネルギーを、変換トランスを介することなく、充電回路に備えられたコンバータ回路によって変換し、変換された電力を負荷に供給する電源装置を開示している。
【０００３】
特開平８ー２７５５２１号公報は、電力変換回路を構成する変換トランスの二次巻線に定電流回路を接続し、定電流回路によりバッテリを充電し、商用交流電源の停電時にはバッテリの充電電圧を、インバータに供給し、インバータから負荷に電力を供給する電源装置を開示している。
【０００４】
上述した先行技術文献に見られるスイッチング電源は、交流電源電圧を入力として動作するコンバータとは別に、バックアップバッテリの電力を変換するコンバータを備える必要があった。このため、部品点数が増大し、小型化を図るのに不利になる。
【０００５】
特開昭６４ー８８３６号公報は上述した問題点を解決するのに有効な技術を開示している。この先行技術文献には、メインのコンバータの一次側に蓄電素子を接続し、この蓄電素子を、交流電源の通電時に一方向に充電しておき、交流電源の停電時に蓄電素子に蓄積されたエネルギーを、メインのコンバータに供給して、バックアップする無停電電源装置が開示されている。
【０００６】
【発明が解決しようとする課題】
ところで、この種のバッテリバックアップ型スイッチング電源においては、交流電源の投入時の他、交流電源の復電時にも、突入電流を抑制することが必要である。交流電源の投入時の突入電流を抑制する技術は知られており、実用されている。例えば、実開平１ー９６７８０号公報に開示された突入電流抑制回路は、メインのコンバータに連動しており、コンバータの起動時に流れる突入電流を、制限抵抗によって抑制し、コンバータが定常動作状態に到達した時に、例えばサイリスタ等によって、制限抵抗を短絡することにより、電流抑制作用を解除する。
【０００７】
しかし、実開平１ー９６７８０号公報には、バックアップ型スイッチング電源において、復電時に流れる突入電流を抑制する回路は開示されていないし、仮に、実開平１ー９６７８０号公報に開示された突入電流抑制回路を、特開昭６４ー８８３６号公報に記載された技術に適用したとしても、復電時の突入電流を抑制することができない。
【０００８】
即ち、実開平１ー９６７８０号公報に開示された突入電流抑制回路を、特開昭６４ー８８３６号公報に記載された技術に適用した場合、交流電源の停電時に、蓄電素子に蓄積されたエネルギーがメインのコンバータに供給され、メインのコンバータに連動して、突入電流抑制回路を構成するサイリスタ等のスイッチ素子が導通してしまう。このため、突入電流抑制回路が短絡されたままの状態で、復電した交流電源が印加され、大きな突入電流が流れ込んでしまう。
【０００９】
本発明の課題は、交流電源の復電時に、突入電流を確実に抑制し得るバックアップ型スイッチング電源を提供することである。
【００１０】
【課題を解決するための手段】
上述した課題解決のため、本発明に係るスイッチング電源は、入力回路と、ＤＣ／ＤＣコンバータと、蓄電素子と、コンデンサ充電回路とを含む。
【００１１】
前記入力回路は、整流回路と、平滑コンデンサとを含んでおり、交流電源から供給される交流電圧を前記整流回路により整流し、整流出力を前記平滑コンデンサにより平滑して、直流電圧に変換する。
【００１２】
前記ＤＣ／ＤＣコンバータは、スイッチ素子と、変換トランスと、出力回路とを含む。前記スイッチ素子は、前記入力回路から前記変換トランスを通して供給される直流電圧をスイッチングする。前記出力回路は、前記変換トランスから供給されるスイッチング出力を直流電圧に変換して出力する。
【００１３】
前記蓄電素子は、前記交流電源が停電したとき、前記ＤＣ／ＤＣコンバータにエネルギーを供給する。
【００１４】
前記コンデンサ充電回路は、前記交流電源が停電したとき、前記蓄電素子から前記変換トランスを介して供給される電力によって前記平滑コンデンサを充電する。
【００１５】
交流電源が通電している定常動作において、交流電源から供給される交流電圧は、入力回路を構成する整流回路によって整流され、更に平滑コンデンサによって平滑され、直流電圧に変換される。交流電源は、一般には、商用交流電源である。
【００１６】
ＤＣ／ＤＣコンバータでは、入力回路から変換トランスを通して供給される直流電圧が、スイッチ素子によってスイッチングされる。変換トランスに生じたスイッチング出力は、出力回路により、直流に変換される。この直流出力電圧が負荷に供給される。
【００１７】
次に、交流電源が停電したときのバックアップ動作において、ＤＣ／ＤＣコンバータは、蓄電素子から供給されるエネルギーをスイッチングし、定常動作時と同様に、負荷に直流出力電圧を供給する。
【００１８】
本発明に係るスイッチング電源は特徴的な構成として、コンデンサ充電回路を備えている。コンデンサ充電回路は、交流電源が停電したときは、蓄電素子から変換トランスを介して供給される電力によって平滑コンデンサを充電する。このため、交流電源の停電時でも、平滑コンデンサの充電を行なうことができる。
【００１９】
しかも、変換トランスの巻数比を適切に設定することにより、平滑コンデンサを、突入電流を抑制するのに充分な電圧まで充電することができる。
【００２０】
以上により、交流電源が複電した時、平滑コンデンサは、すでに、充分に充電されている。よって、交流電源の複電時に平滑コンデンサに流れ込む突入電流を抑制することができる。
【００２１】
好ましくは、コンデンサ充電回路により、前記平滑コンデンサを、前記交流電圧の尖頭値以上の電圧値まで充電する。かかる構成によれば、交流電源の複電時に突入電流が平滑コンデンサに流れ込むのを、ほぼ完全に阻止することができる。
【００２２】
突入電流抑制回路を備える場合には、交流電源の投入時にも、突入電流を抑制し得る。蓄電素子によるバックアップ動作に対応して、突入電流抑制回路の電流抑制作用が解除されていても、平滑コンデンサが充分に充電されているので、復電時に突入電流が流れることはない。
【００２３】
本発明の他の目的、構成及び利点については添付図面を参照し、さらに詳しく説明する。図面は単に実施例を示すものに過ぎない。
【００２４】
【発明の実施の形態】
図１は、本発明に係るスイッチング電源の実施例を示す電気回路図である。図示するように、本発明に係るスイッチング電源は、入力回路１と、ＤＣ／ＤＣコンバータ２と、蓄電素子４２を含むバックアップ回路４と、コンデンサ充電回路５とを含む。参照符号６は制御回路を示している。
【００２５】
入力回路１は、ダイオードブリッジ等でなる整流回路１１と、平滑コンデンサ１２とを含んでおり、交流電源ｅから供給される交流電圧Ｅｉｎを整流回路１１により整流し、整流出力を平滑コンデンサ１２により平滑して、直流電圧Ｖｉｎに変換する。
【００２６】
ＤＣ／ＤＣコンバータ２は、変換トランス２１と、スイッチ素子２２と、出力回路３とを含んでいる。スイッチ素子２２は、入力回路１から変換トランス２１を通して供給される直流電圧Ｖｉｎをスイッチングする。出力回路３は、変換トランス２１から供給されるスイッチング出力を直流電圧に変換して出力する。
【００２７】
図１に示す実施例において、変換トランス２１は、第１の巻線２１１と、第２の巻線２１２と、第３の巻線２１３と、第４の巻線２１４とを備えている。
【００２８】
変換トランス２１の第１の巻線２１１には、スイッチ素子２２の主電極回路が直列に接続されている。従って、ＤＣ／ＤＣコンバータ２に対し、入力回路１から変換トランス２１の第１の巻線２１１を通して、直流電圧Ｖｉｎが供給される。この直流電圧Ｖｉｎをスイッチ素子２２によってスイッチングする。スイッチ素子２２は、制御回路６から供給される信号Ｓ１によって、そのスイッチング動作が制御される。信号Ｓ１は一般にはパルス幅変調信号であり、スイッチ素子２２は、パルス幅変調信号Ｓ１によって、直流電圧Ｖｏが一定となるように制御される。制御回路６には、通常、直流出力電圧Ｖｏに基づいた検出信号Ｓ０１が入力されている。制御回路６は、この検出信号Ｓ０１に基づいて、直流出力電圧Ｖｏが一定となるように制御及び過電流制御等を行なう。スイッチ素子２２は、代表的には電界効果トランジスタ（ＦＥＴ）で構成されるが、バイポーラトランジスタ等、他の三端子スイッチ素子であってもよい。
【００２９】
出力回路３は、変換トランス２１の第２の巻線２１２に接続され、第２の巻線２１２に現れるスイッチング出力を直流電圧に変換して、負荷Ｌに直流出力電圧Ｖｏを供給する。
【００３０】
バックアップ回路４は、交流電源ｅが停電したとき、蓄電素子４２から供給されるエネルギーを、ＤＣ／ＤＣコンバータ２に供給する。実施例において、バックアップ回路４は、電源ラインと蓄電素子４２との間に、スイッチで表現された切替回路４１とダイオード４６との並列回路を接続して構成してある。停電時に、切替回路４１がオンとなり、蓄電素子４２のエネルギーがＤＣ／ＤＣコンバータに供給される。蓄電素子４２は、代表的には、二次電池で構成される。または、コンデンサで構成してもよい。また、平滑コンデンサ１２から、第１の巻線２１１に至る回路に、スイッチ２３が挿入されている。
【００３１】
コンデンサ充電回路５は、交流電源ｅが停電したとき、バックアップ回路４から変換トランス２１を介して供給される電力によって平滑コンデンサ１２を充電する。図１に示す実施例において、コンデンサ充電回路５は、ダイオード５１と、制限抵抗５２を備え、第３の巻線２１３に接続されている。第３の巻線２１３は、極性を合わせて、第１の巻線２１１に直列に接続されている。ダイオード５１と制限抵抗５２とは、直列に接続されている。ダイオード５１は、スイッチ素子２２がオンになったときに、第３の巻線２１３に現れる誘起電圧に対して、順方向となるように方向付けられている。制限抵抗５２は、平滑コンデンサ１２への充電電流を制限する。制限抵抗５２の抵抗値は数十〜数百ＫΩ程度に選定することができる。
【００３２】
実施例においては、更に、突入電流抑制回路１３及び駆動回路１４が備えられている。突入電流抑制回路１３は、サイリスタ等の三端子スイッチ素子１３１と、制限抵抗１３２とを含む。三端子スイッチ素子１３１は、主電極間に制限抵抗１３２が並列に接続され、主電極が電源ラインに直列に挿入されている。駆動回路１４は、第４の巻線２１４に誘起する電圧を、ダイオード１４１によって整流し、整流出力によって三端子スイッチ素子１３１をトリガするようになっている。
【００３３】
交流電源ｅが通電している定常動作において、交流電源ｅから供給される交流電圧Ｅｉｎは、入力回路１を構成する整流回路１１によって整流され、平滑コンデンサ１２によって平滑され、直流電圧Ｖｉｎに変換される。突入電流抑制回路１３を備える実施例において、交流電源ｅが投入された直後は、三端子スイッチ素子１３１はオフであり、平滑コンデンサ１２には、制限抵抗１３２によって制限された電流が流れ込む。これにより、交流電源ｅの投入時の突入電流が抑制される。
【００３４】
交流電源ｅが通電している定常動作において、スイッチ２３はオンとなっており、ＤＣ／ＤＣコンバータ２では、入力回路１から変換トランス２１の第１の巻線２１１を通して供給される直流電圧Ｖｉｎが、スイッチ素子２２によってスイッチングされる。スイッチ２３は制御回路６から供給される信号Ｓ３によって制御される。
【００３５】
スイッチ素子２２のスイッチング動作に伴うスイッチング出力は、変換トランス２１の第１の巻線２１１から第２の巻線２１２に伝送され、第２の巻線２１２に備えられた出力回路３により、直流に変換される。この直流出力電圧Ｖｏが負荷Ｌに供給される。
【００３６】
ＤＣ／ＤＣコンバータ２が動作を開始すると、第１の巻線２１１と第４の巻線２１４との誘導結合により、第４の巻線２１４に電圧が誘起する。そして、スイッチ素子２２がオンの時に第４の巻線２１４に誘起する電圧がダイオード１４１を通して、三端子スイッチ素子１３１のゲートに供給され、三端子スイッチ素子１３１がターン．オンし、制限抵抗１３２による電流抑制が解除される。
【００３７】
交流電源ｅの通電時、切替回路４１はオフとなる。これにより、ダイオード４６を通して、蓄電素子４２を充電する充電回路ＣＨ２が形成される。蓄電素子４２は、ほぼ、平滑コンデンサ１２と同じ電圧に充電される。
【００３８】
交流電源ｅの停電時は、スイッチ２３がオフになり、切替回路４１がオンになる。切替回路４１がオンになると、蓄電素子４２、切替回路４１、変換トランス２１の第１の巻線２１１及びスイッチ素子２２を巡る放電回路ＤＨが形成される。そして、スイッチ素子２２のスイッチング動作により、蓄電素子４２から供給された電力がスイッチングされる。スイッチング出力は、変換トランス２１の第１の巻線２１１から第２の巻線２１２に伝送され、出力回路３によって直流電圧に変換され、直流出力電圧Ｖｏとして、負荷Ｌに供給される。
【００３９】
スイッチ素子２２のスイッチング動作に伴い、変換トランス２１の第３の巻線２１３に誘起電圧が発生する。第３の巻線２１３は、第１の巻線２１１と、極性を合わせて直列に接続されているので、平滑コンデンサ１２は、スイッチ素子２２がオンとなった時に、第１の巻線２１１に誘起する電圧と、第３の巻線２１３に誘起する電圧とを加算した電圧により、充電ループＣＨ１を通して、交流電圧Ｅｉｎの尖頭値以上の電圧まで充電される。このため、復電時の突入電流を確実に阻止することができる。
【００４０】
図２は本発明に係るスイッチング電源の別の実施例を示す電気回路図である。図において、図１に示された構成部分と同一の構成部分については、同一の参照符号を付してある。図示された出力回路３は、いわゆるフォワードコンバータ回路を構成しており、スイッチ素子２２がオンしているときに導通するダイオード３１と、スイッチ素子２２がオフしている期間に、チョークコイル３３に蓄積されたエネルギーを放出するダイオード３２とでなる整流回路と、出力平滑用コンデンサ３４とを備える。但し、このような回路構成に限定するものではないことはいうまでもない。
【００４１】
バックアップ回路４は、切替回路４１と、蓄電素子４２とを含んでいる。切替回路４１は、交流電源ｅが通電したとき、交流電源ｅから入力回路１を介して供給される電力によって蓄電素子４２を充電する充電回路ＣＨ２を構成する。交流電源ｅが停電したときは、蓄電素子４２に蓄積されたエネルギーをスイッチングして変換トランス２１に供給する放電回路ＤＨを構成する。実施例において、バックアップ回路４は、変換トランス２１の第５の巻線２１５及び第６の巻線２１６を含んでおり、第５の巻線２１５及び第６の巻線２１６を通して蓄電素子４２を充電し、蓄電素子４２に蓄積されたエネルギーを第５の巻線２１５を通して放電する。
【００４２】
図示された切替回路４１は、一個の電界効果トランジスタ（ＦＥＴ）で構成されている。切替回路４１を構成するＦＥＴは、ドレイン及びソースによって構成される主電極回路が第５の巻線２１５及び蓄電素子４２を含む回路に対して直列に入るように接続されている。ＦＥＴを駆動した場合に、その主電極回路が放電回路ＤＨを構成し、ＦＥＴが駆動されていない場合に、ＦＥＴのソース．ドレイン間ダイオード４３が充電回路ＣＨ２を構成する。ダイオード４３は、メインのスイッチ素子２２がオンになったときに、第５の巻線２１５に現れる誘起電圧に対して、順方向となる方向性を持つ。
【００４３】
切替回路４１としては、ＦＥＴ以外のスイッチ素子を用いることもできる。この場合、スイッチ素子と並列にダイオード４３を接続すればよい。但し、切替回路４１をＦＥＴで構成した場合は、上述したように、ＦＥＴのソース．ドレイン間ダイオード４３を利用して充電回路ＣＨを構成できるので、回路構成を簡素化できる。
【００４４】
コンデンサ充電回路５は、交流電源ｅが停電したとき、バックアップ回路４から変換トランス２１を介して供給される電力によって平滑コンデンサ１２を充電する。図２に示す実施例において、コンデンサ充電回路５は、スイッチ素子２２のドレイン．ソース間ダイオード２０、第１の巻線２１１及び平滑コンデンサ１２を巡るループＣＨ１で構成される。
【００４５】
交流電源ｅが通電している定常動作において、交流電源ｅから供給される交流電圧Ｅｉｎは、入力回路１を構成する整流回路１１によって整流され、平滑コンデンサ１２によって平滑され、直流電圧Ｖｉｎに変換される。交流電源ｅが投入された直後は、突入電流抑制回路１３の三端子スイッチ素子１３１はオフであり、平滑コンデンサ１２には、制限抵抗１３２によって制限された電流が流れ込む。これにより、交流電源ｅの投入時の突入電流が抑制される。
【００４６】
ＤＣ／ＤＣコンバータ２では、入力回路１から変換トランス２１の第１の巻線２１１を通して供給される直流電圧Ｖｉｎが、スイッチ素子２２によってスイッチングされる。スイッチング出力は、変換トランス２１の第１の巻線２１１から第２の巻線２１２に伝送され、第２の巻線２１２に備えられた出力回路３により、直流に変換される。この直流出力電圧Ｖｏが負荷Ｌに供給される。
【００４７】
ＤＣ／ＤＣコンバータ２が動作を開始すると、第１の巻線２１１と第４の巻線２１４との誘導結合により、第４の巻線２１４に電圧が誘起する。そして、スイッチ素子２２がオンの時に第４の巻線２１４に誘起する電圧がダイオード１４１を通して、三端子スイッチ素子１３１のゲートに供給され、三端子スイッチ素子１３１がターン．オンし、制限抵抗１３２による電流抑制が解除される。
【００４８】
交流電源ｅが通電していて、ＤＣ／ＤＣコンバータ２が動作しているときは、バックアップ回路４に含まれる切替回路４１はオフであり、第５の巻線２１５、第６の巻線２１６、蓄電素子４２、ダイオード４５及び制限抵抗４０を巡る充電回路ＣＨ２に切り替えられる。充電回路ＣＨに切り替えられたときは、変換トランス２１から供給される電力によって蓄電素子４２が充電される。実施例に示す回路構成においては、蓄電素子４２に対する充電は、スイッチ素子２２のオン期間に、第５の巻線２１５と第６の巻線２１６の直列回路の両端に現れるフォワード電圧によって行なわれる。
【００４９】
次に、交流電源ｅが停電したときのバックアップ動作において、バックアップ回路４では、スイッチ素子で構成された切替回路４１の働きにより、蓄電素子４２に蓄積されたエネルギーがスイッチングされ、スイッチング出力が変換トランス２１の第５の巻線２１５に供給される。切替回路４１を構成するスイッチ素子は、制御回路６から供給される制御信号Ｓ２によって制御されてスイッチング動作をする。制御回路６は、図示しない停電検出回路等から供給された停電検出信号Ｓ０２に基づいて、制御信号Ｓ２を生成する。
【００５０】
第５の巻線２１５は、変換トランス２１の巻線であり、変換トランス２１の第２の巻線２１２と誘導結合されているから、蓄電素子４２から供給されるエネルギーをスイッチングして得られた電流によって、第５の巻線２１５の巻線が励磁された場合、そのエネルギーは第５の巻線２１５から第２の巻線２１２に伝送される。変換トランス２１の第２の巻線２１２には出力回路３が接続されているから、第２の巻線２１２に現れるバックアップ回路４のスイッチング出力が出力回路３によって直流電圧に変換され、負荷Ｌに直流出力電圧Ｖｏが供給される。実施例の場合、バックアップ回路４に含まれる第５の巻線２１５と、第２の巻線２１２との巻数比を選定して、負荷Ｌに必要な直流出力電圧Ｖｏを得ることができる。また、第１の巻線２１１と第５の巻線２１５及び第６の巻線２１６との巻数比を選定することにより、蓄電素子４２の充電に適した電圧を第５の巻線２１５及び第６の巻線２１６に生じさせることができるから、蓄電素子４２は、交流電源ｅの整流電圧による制限を受けることなく、任意に選定し得る。
【００５１】
さらに、コンデンサ充電回路５において、替回路４１を構成するスイッチ素子がスイッチング動作をし、第５の巻線２１５が励磁された場合、そのエネルギーは第５の巻線２１５から第１の巻線２１１に伝送される。スイッチ素子２２のドレイン．ソース間ダイオード２０は、切替回路４１がオンになったときに、第１の巻線２１１に現れる誘起電圧に対して、順方向となる方向性を有するので、切替回路４１のオン期間に、第１の巻線２１１に生じる誘起電圧によって、平滑コンデンサ１２が充電される。しかも、平滑コンデンサ１２の充電に用いられる電力は、バックアップ回路４から変換トランス２１を介して供給される。このため、変換トランス２１の第１の巻線及び第５の巻線２１５の巻数比を適切に設定することにより、平滑コンデンサ１２を充分に充電することができる。従って、交流電源ｅの複電時に突入電流抑制回路１３の三端子スイッチ素子１３１が短絡動作をしていても、平滑コンデンサ１２に突入電流が流れ込むことはない。
【００５２】
以上、具体的な実施例を参照して、本発明の内容を説明したが、当業者であれば、本発明の基本的な技術思想及び教示に基づいて、種々の変形、修正が可能であることは自明である。
【００５３】
【発明の効果】
以上述べたように、本発明によれば、交流電源の復電時に、突入電流を確実に抑制し得るバックアップ型スイッチング電源を提供することができる。
【図面の簡単な説明】
【図１】本発明に係るスイッチング電源の実施例を示す電気回路図である。
【図２】本発明に係るスイッチング電源の別の実施例を示す電気回路図である。
【符号の説明】
１            入力回路
１１          整流回路
１２          平滑コンデンサ
２            ＤＣ／ＤＣコンバータ
２１          変換トランス
３            出力回路
４            バックアップ回路
４１          切替回路
４２          蓄電素子
【図１】
0003759300.tif 000002
【図２】
0003759300.tif 000003